(57)【要約】      （修正有）【課題】偽造防止技術も陳腐化が進み、悪意に偽造を行う側の偽造技術も巧妙になってきていることから、高度なセキュリティ性を必要とする商材においては、用紙にスレッドを設けただけでは安全性に問題が出てきている。従来のスレッド用紙の技術を利用しながらも、さらに偽造が困難で、セキュリティ性の高い偽造防止媒体を提供する。【解決手段】導電部４が破線状に形成されたスレッド３を漉き込んでなり、且つ該導電部４の切れ目部分を露出させる窓部５を設けてなり、露出された導電部４にリード線を介してＩＣチップを接続させることにより、ＩＣチップの外部との通信を可能にし、ＩＣチップの記憶する情報を用いてスレッド用紙１の真贋判定を行うことが可能となる。【選択図】図１
2010236101.tif 000002
【特許請求の範囲】
【請求項１】
紙基材と、
該紙基材内に埋没され、且つ導電部が破線状に複数形成されたスレッドと、を有し、
該紙基材は、該スレッドに形成された導電部の内、少なくとも隣り合った１組の導電部の一部及びその切れ目部分を露出させる窓部を有することを特徴とするスレッド用紙。
【請求項２】
請求項１記載のスレッド用紙に、シート上に少なくとも粘着層、リード線及びＩＣチップを有するＩＣ部材を、該リード線と前記窓部により露出された導電部とを接触させて積層したことを特徴とするＩＣスレッド用紙。
【請求項３】
前記スレッドに形成された全ての導電部の切れ目部分に対して露出させる窓部が個別に設けられたことを特徴とする請求項２に記載のＩＣスレッド用紙。
【請求項４】
前記紙基材の、前記窓部から露出している導電部の切れ目部分付近で、且つ窓部により露出される箇所に、タイミングマークを設けたことを特徴とする請求項２又は３に記載のＩＣスレッド用紙。
【請求項５】
前記ＩＣ部材が、脆性剥離層を有することを特徴とする請求項２乃至４のいずれか１項に記載のＩＣスレッド用紙。
【請求項６】
前記ＩＣ部材のリード線は、前記スレッド用紙の１つの窓部より小さく、該ＩＣ部材のシートは、該窓部の１つを覆うに足りる面積であることを特徴とする請求項２乃至５のいずれか１項に記載のＩＣスレッド用紙。
【請求項７】
前記ＩＣ基材上の前記ＩＣチップの付近にタイミングマークを設けたことを特徴とする請求項２乃至６のいずれか１項に記載のＩＣスレッド用紙。
【請求項８】
請求項１記載のスレッド用紙に、シート上に少なくとも粘着層、リード線及びＩＣチップを有するＩＣ部材を、該リード線と前記窓部により露出された導電部とを接触させて積層することを特徴とするＩＣスレッド用紙の製造方法。
【発明の詳細な説明】
【技術分野】
【０００１】
本発明は、偽造防止用紙に関するものであり、特に、スレッドを有する偽造防止用紙に関するものである。
【背景技術】
【０００２】
従来、有価証券等の各種セキュリティ媒体の偽造防止策として、スレッドを用紙に漉き込む、スレッドを接着や転写により用紙の一部に設けるといった手法があり、例えば基紙に光輝性スレッド等を漉き込み、基紙がスレッドを間欠的に窓部から露出させた偽造防止用紙が知られている。
【先行技術文献】
【特許文献】
【０００３】
【特許文献１】特開平８−３１１８００
【発明の概要】
【発明が解決しようとする課題】
【０００４】
しかしながら、今日においては、これらの偽造防止技術も陳腐化が進み、悪意に偽造を行う側の偽造技術も巧妙になってきていることから、高度なセキュリティ性を必要とする商材においては、用紙にスレッドを設けただけでは安全性に問題が出てきている。
【０００５】
本発明は、上記課題を解決するためになされたものであり、その課題とするところは、従来のスレッド用紙の技術を利用しながらも、さらに偽造が困難で、セキュリティ性の高い偽造防止媒体を提供することにある。
【課題を解決するための手段】
【０００６】
上述した課題を解決するために、本発明は、紙基材と、該紙基材内に埋没され、且つ導電部が破線状に複数形成されたスレッドと、を有し、該紙基材は、該スレッドに形成された導電部の内、少なくとも隣り合った１組の導電部の一部及びその切れ目部分を露出させる窓部を有することを特徴とするスレッド用紙としたものである。
【０００７】
また本発明は、前記スレッド用紙に、シート上に少なくとも粘着層、リード線及びＩＣチップを有するＩＣ部材を、該リード線と前記窓部により露出された導電部とを接触させて積層したことを特徴とするＩＣスレッド用紙としたものである。
【０００８】
また本発明は、前記スレッドに形成された全ての導電部の切れ目部分に対して露出させる窓部が個別に設けられたことを特徴とする前記ＩＣスレッド用紙としたものである。
【０００９】
また本発明は、前記紙基材の、前記窓部から露出している導電部の切れ目部分付近で、且つ窓部により露出される箇所に、タイミングマークを設けたことを特徴とする前記ＩＣスレッド用紙としたものである。
【００１０】
また本発明は、前記ＩＣ部材が、脆性剥離層を有することを特徴とする前記ＩＣスレッド用紙としたものである。
【００１１】
また本発明は、前記ＩＣ部材のリード線は、前記スレッド用紙の１つの窓部より小さく、該ＩＣ部材のシートは、該窓部の１つを覆うに足りる面積であることを特徴とする前記ＩＣスレッド用紙としたものである。
【００１２】
また本発明は、前記ＩＣ基材上の前記ＩＣチップの付近にタイミングマークを設けたことを特徴とする前記ＩＣスレッド用紙としたものである。
【００１３】
また本発明は、前記スレッド用紙に、シート上に少なくとも粘着層、リード線及びＩＣチップを有するＩＣ部材を、該リード線と前記窓部により露出された導電部とを接触させて積層することを特徴とするＩＣスレッド用紙の製造方法としたものである。
【発明の効果】
【００１４】
本発明は、以上説明したような構成であるから、以下に示す如き効果がある。
【００１５】
即ち、本発明におけるスレッド用紙は、導電部が破線状に形成されたスレッドを埋没させ、且つ隣り合った１組の該導電部の一部を露出させる窓部を設けてなり、露出された１組の導電部にリード線を介してＩＣチップを接続させることにより、この導電部がＩＣチップのアンテナとしての機能を果たし、外部との通信を可能にし、ＩＣチップの記憶する情報を用いてスレッド用紙の真贋判定を行うことが可能となる。
【図面の簡単な説明】
【００１６】
【図１】本発明におけるスレッド用紙の実施形態例を示す図である。
【図２】本発明におけるＩＣ部材の実施形態例を示す図である。
【図３】図１に示したスレッド用紙にＩＣ部材を貼付してなるＩＣスレッド用紙の実施形態例を示す図である。
【発明を実施するための形態】
【００１７】
以下、本発明におけるスレッド用紙及びＩＣスレッド用紙の実施形態を、図面を参照して詳細に説明する。
【００１８】
図１は、本発明におけるスレッド用紙の実施形態例を示した図である。本発明におけるスレッド用紙は、紙基材にスレッドを埋没させ、且つスレッドの一部を露出させる窓部を少なくとも１つ有している。
【００１９】
図１に示した如く、本発明におけるスレッドは、複数の導電部が破線状に形成されている。ここで、隣り合った導電部の間の部分を切れ目部分と呼ぶことにする。
【００２０】
スレッドの一部を露出させる窓部は、少なくとも隣り合った１組の導電部の一部及びその切れ目部分を露出させる様に設けられている。窓部の形状は、前記条件を満たすものであれば良く、図１に示した形状に限定されるものではない。
【００２１】
窓部は、図１（ａ）に示した如く、全ての切れ目部分に対して設けられていても良いし、図１（ｂ）に示した如く、１つの切れ目部分に対して設けられていても良い。また、窓部は、切れ目部分の個数に対して一定の割合又はランダムな割合で設けられていても良く、その個数は特に限定されない。
【００２２】
スレッドを紙基材に埋没させ、且つスレッドの一部を露出させる窓部を設けたスレッド用紙を製造するには、例えば、少なくとも２層からなる紙基材で、最表面にくる第１の紙基材に孔部を設けておき、その孔部の下部にスレッドを配置し、さらにスレッドの下部に第２の紙基材を積層する等の方法が利用できる。
【００２３】
尚、実際の生産現場においては、生産効率を考慮し、多面付けした紙基材に、可能な部分については連続的にスレッドを埋没させることにより、複数のスレッド用紙が製造され、その後、断裁等よりスレッド用紙個片となる。
【００２４】
図１においては、スレッドを直線状に、且つ紙基材の縦方向と同一の長さで設けている。これは、上記の如くスレッド用紙を多面付けした場合に生産効率が向上する為である。ただしスレッドの形状は、当然この形状に限定されるものではなく、紙基材の横方向に設けても、曲線状に設けても良く、その設ける位置も自由にデザインして良い。これに伴い、窓部の設置位置及び形状に関しても前記条件を満たす様に変更される。
【００２５】
紙基材の原料には、各種のパルプを使用できる。パルプとしては、例えば、クラフトパルプ（ＫＰ）、サルファイトパルプ（ＳＰ）、ソーダパルプ（ＡＰ）等の化学パルプ、セミケミカルパルプ（ＳＣＰ）、ケミグランドウッドパルプ（ＣＧＰ）等の半化学パルプ、砕木パルプ（ＧＰ）、サーモメカニカルパルプ（ＴＭＰ、ＢＣＴＭＰ）、リファイナーグランドウッドパルプ（ＲＧＰ）等の機械パルプ、楮、三椏、麻、ケナフ等を原料とする非木材繊維パルプ又は腰を原料とする脱墨パルプ等を挙げることができ、これらを単独で又は２種以上を混合して使用しても良い。
【００２６】
スレッドには、紙基材への抄紙適正が求められ、ポリエステルフィルムをベースフィルムとしたスレッドが、強度に優れ好ましいが、特にこれに限定されない。
【００２７】
導電部は、銅、アルミ等の導線であっても良く、銅、アルミ等の金属をエッチング又は転写箔の転写により設けても、銀、ニッケル、銅等の導電性インキを用いて印刷しても良い。
【００２８】
導電部をエッチングで設ける場合には、銅、アルミ等の金属材料をスレッド上に蒸着した後、マスクを設けて不要部分を化学反応等を利用して除去することにより形成することが可能であるが、その形成方法は特に限定しない。
【００２９】
また、図示しないが、スレッドに回折構造を設けることにより、導通部が反射層として機能し、スレッドがホログラム等の視覚効果を有することも可能である。また、通信を阻害しない程度であれば、エッチング等を用いて文字、絵柄等を抜くことも可能であり、これらの技術により偽造防止効果を高めることが可能である。
【００３０】
また、導電部は、ＩＣチップに接続された状態で、隣り合った１組で、ＩＣチップのアンテナとしての役割を果たす為、その長さは、求める通信距離等により適宜形成すれば良い。
【００３１】
また、図においては、導電部は直線的に形成しているが、前記条件を満たすのであれば、その形状は特に限定しない。ただし、製造効率を考慮すると、スレッドの端部で切断される導電部を除いて、同じ形状に形成すると良い。これは、上述した断裁される前の、スレッドのロールの状態においては、全ての導電部が同じ形状に形成されているということである。また、１枚のスレッド用紙に含まれる導電部の個数及び切れ目部分の個数についても特に限定しない。
【００３２】
なお、後述するＩＣ部材を載せる窓部から露出している導電部の切れ目部分付近にタイミングマークを形成しておくと、送り機構を有する装置を用いてスレッド用紙にＩＣ部材を貼付する際に精度を向上させることが可能となる。
【００３３】
図２は、ＩＣ部材の実施形態例を示した図である。
【００３４】
本発明におけるＩＣ部材は、図１に示した如く、シート上に粘着層が形成されたものに、インレット基材上にリード線、ＩＣチップを接続して積層したものを貼り合せてなる。
【００３５】
シートは、スレッド用紙の窓部の少なくとも１つを覆うに足りる面積を有していれば良い。図２（ａ）に示したＩＣ部材のシートは、１つの窓部を覆う形状の一例であり、図２（ｂ）に示したＩＣ部材のシートは、全ての窓部を覆い、且つスレッド用紙と縦幅が等しい形状の一例である。なお、シートの形状はこれらに限定されるものではない。
【００３６】
シートの材料としては、シール加工が可能な材料であれば、特に限定しないが、紙、ＰＥＴ等が挙げられる。
【００３７】
粘着層には、一般的に用いられるアクリル系接着剤等の接着剤、粘着剤等が使用可能であり、その材料は特に限定しないが、スレッド用紙の紙基材への粘着適性が求められる。なお、粘着層は、シートの全面に設けても良いし、部分的に設けても良い。
【００３８】
インレット基材の材料は、特に限定しないが、紙、ＰＥＴ等が使用できる。
【００３９】
リード線は、隣り合った１組の導電部の双方に接触可能な長さがあれば良いが、安定した結合を得るために、少なくとも１．５ｍｍ×１．５ｍｍ程度のリード線と導電部が重なりあう面積を要する。リード線の材料としては、導電部と同様、銅、アルミ等の導線であっても良く、銅、アルミ等の金属をエッチング又は転写箔の転写により設けても、銀、ニッケル、銅等の導電性インキを用いて印刷しても良い。
【００４０】
ＩＣチップはその端子部がリード線に接続されてなる。接続の方法としては、適宜既知の接続方法等を用いれば良い。
【００４１】
また、ＩＣ部材のシートと粘着層との層間に、脆性剥離層を設けても良い。これにより、スレッド用紙に貼付されたＩＣ部材を不正に剥がそうとすると、リード線が破壊され、偽造、不正使用等を防止することが可能となる。
【００４２】
脆性剥離層は、リード線の少なくとも一部と重なる様に、パターン状に形成すれば良い。脆性剥離層の材料としては、例えば以下の配合比からなる組成物がグラビア印刷法により、乾燥温度１１０℃、厚さ０．５μｍで形成されている。 
脆性剥離層配合例 
アクリル樹脂              …３０部 
トルエン                  …４０部 
メチルエチルケトン        …４０部 
メチルイソブチルケトン    …２０部 
【００４３】
なお、脆性剥離層としては、この他に塩化ゴム系樹脂、塩化ビニル−酢酸ビニル共重合体、セルロース系樹脂、スチレン樹脂、塩素化ポリプロピレン樹脂等の熱可塑性樹脂やその塗料にシリコンオイルを混入した、シートに接着せずに剥離性を有する塗料を用いることができる。
【００４４】
また、シートの、リード線及びＩＣチップを設けた側とは反対の側に、印刷層、ホログラム層、その他の視覚効果を有する層等を適宜設けても良く、自由にデザインして良い。ただし、金属層を設ける場合には、ＩＣチップの通信を阻害しない程度の薄さ、面積に設ける等の配慮が必要である。
【００４５】
なお、ＩＣチップ付近に、タイミングマークを設けておくことにより、送り機構を有する装置にてＩＣ部材をスレッド用紙に貼付する際に、精度を向上させることが可能となる。
【００４６】
本発明におけるＩＣスレッド用紙は、前述したスレッド用紙の窓部から露出している隣り合った１組の導電部の双方に、前述したＩＣ部材のリード線が接続する様に、スレッド用紙にＩＣ部材を貼付することにより形成される。これにより、隣り合った１組の導電部がＩＣチップのアンテナとして機能し、外部との通信が可能となる。
【００４７】
なお、スレッド用紙へのＩＣ部材の貼付は、多面付けしたスレッド用紙を、断裁して個片化した後に行っても良いし、多面付けした状態のままで行っても良い。この際に、送り機構を有する装置を用いると自動的に連続して行うことが可能である。また、スレッド用紙及びＩＣ部材の双方、又は少なくともスレッド用紙には、上述したタイミングマークが形成されていると、貼付の精度を向上させることが可能となる。
【００４８】
図３に、本発明におけるＩＣスレッド用紙の実施形態例を示す。
【００４９】
図３（ａ）は、図１に示したスレッド用紙に対して図２に示したＩＣ部材を貼付してなるＩＣスレッド用紙を示す図であり、図３（ｂ）はその断面図である。
【００５０】
図３に示した如く、スレッド用紙の窓部の１つに、ＩＣ部材のインレット基材が積層されてなる側から接着させ、シートの粘着層によりスレッド用紙に粘着させることにより、本発明におけるＩＣスレッド用紙となる。
【００５１】
ＩＣ部材のリード線と、スレッド用紙の導電部とは、静電容量結合により電気的に接続され、導電部がアンテナとして機能することになる。
【００５２】
また、本発明におけるＩＣスレッド用紙は、ＩＣ部材を貼り付けた以外の窓部はそのまま表面に露出されてなる故、導電部がスレッドとして、視覚的な偽造防止効果を有する。
【００５３】
ここで、スレッド用紙の窓部の深さと、リード線、ＩＣチップ及びインレット基材の高さの合計が略等しいか、窓部の深さの方が長ければ、ＩＣスレッド用紙の平滑性が向上し、ＩＣチップが破損する可能性を大きく低減することが可能となる。
【００５４】
本発明におけるＩＣスレッド用紙を用いれば、スレッド用紙の管理番号等の情報を、ＩＣチップに記憶させておくことにより、リーダ／ライタを用いてＩＣスレッド用紙の番号管理を容易に行うことが可能となる。
【００５５】
また、例えばＩＣスレッド用紙が金券であった場合、金券の表面で視認可能な製造番号等のユニークな番号と、ＩＣチップに記憶されている情報とを照合させることにより、ＩＣスレッド用紙の真贋判定を行うことが可能となる。ここで、ＩＣチップに記憶させる情報は、ＩＣチップの製造番号、ＩＤ番号、計算式等の情報若しくはこれらの組み合わせ、及びこれらを暗号化したデータでも良い。
【００５６】
ＩＣスレッド用紙表面に記されたユニークな番号と、ＩＣチップが記憶するデータとの照合は、様々な方法により行うことが可能である。
【００５７】
例えば、表面のユニークな番号を、そのままＩＣチップに記憶させ、双方を読み取ることにより行っても良い。また、リーダ／ライタ若しくはそれに接続されたサーバが対応表を記憶しておき、この対応表に基づいて行っても良い。更には、ＩＣチップが記憶する情報を特定の計算式にかけるとＩＣスレッド用紙のユニークな番号が算出される、若しくはこの逆のパターンでも良い。その他、これらを照合可能な手法であれば、適宜用いることが可能である。
【００５８】
さらに、導電部に回折構造等の視覚効果を持たせた場合には、図３（ａ）の如くＩＣスレッド用紙を形成することで、導電部が露出している部分があるため、視覚効果が確認され、セキュリティ性及びデザイン性を向上するというメリットが発揮される。
【００５９】
一方で、図３（ｂ）、図４（ａ）及び（ｂ）に示したＩＣスレッド用紙では、導電部の破損を防ぐことが可能となり、安全性が向上するというメリットがある。
【００６０】
また、図示しないが、少なくとも１つの窓部及びそこに含まれる２つの導電部、つまりＩＣチップに接続される導電部の端部までを覆い、ＩＣチップに接続されない導電部を全て若しくは選択的に露出させるようにＩＣ部材のシートを形成することにより、上記した２つのメリットを双方取り入れることが可能となる。
【実施例１】
【００６１】
ポリエステルフィルムをベースフィルムに導電部３ｍｍ×１５．０ｍｍ、厚み約１００μｍ、切れ目部分３ｍｍ×１．０ｍｍで破線状にアルミを金属蒸着にて導電部を形成したスレッドを用いて、６ｍｍ角の窓部を設けてスレッド用紙を作成した。
マイクロ波帯（２．４５ＧＨｚ）のＲＦＩＤのＩＣを使用し、ＰＥＴにＩＣを置いたときにＩＣの端子２箇所と接触するように、アルミ蒸着にて１．５ｍｍ×３ｍｍの大きさのリード線を形成し、ＩＣ部材を作成した。
そして該スレッド用紙窓部に該ＩＣ部材を貼り合せ、ＩＣスレッド用紙とした。こうして製造したＩＣスレッド用紙は、問題なくリーダライタで通信が可能であった。
【符号の説明】
【００６２】
１・・・スレッド用紙
２・・・紙基材
３・・・スレッド
４・・・導電部
５・・・窓部
６・・・タイミングマーク
７・・・ＩＣ部材
８・・・シート
９・・・ＩＣチップ
１０・・・リード線
１１・・・インレット基材
１２・・・ＩＣスレッド用紙
【図１】
2010236101.tif 000003
【図２】
2010236101.tif 000004
【図３】
2010236101.tif 000005